(57)【要約】  本発明の目的は、スマートデバイス（４）を所持している利用者（３）の認証が安定して行われる領域を設定できる認証装置（５）および当該認証装置（５）に対応するスマートデバイス（４）を提供すること、ならびにこれらを用いた認証システム（１）、入退室管理システム、エレベーター配車管理システム、および測位システムを提供することである。利用者（３）に所持されるスマートデバイス（４）は、磁気センサー（１３）を搭載する。認証装置（５）は、照合エリア（７）の内部全体において強さが閾値以上である変動磁界を形成する。磁気センサー（１３）が閾値以上の強さの変動磁界を検出する場合にスマートデバイス（４）が送信する無線信号を受信したときに、認証装置（５）は、照合情報に基づいて利用者（３）を認証する。
2020084781.tif 000002
【特許請求の範囲】
【請求項１】
基準点および前記基準点から内部の任意の点までを結ぶ線分を含みかつ利用者が入域可能な空間領域である照合エリアの内部全体において強さが予め定められた閾値以上である変動磁界を形成する形成部と、
前記利用者に所持されるスマートデバイスが搭載する磁気センサーが前記閾値以上の強さの変動磁界を検出するときに前記スマートデバイスから無線通信により送信される照合情報を受信する受信部と、
前記受信部が前記照合情報を受信したときに前記照合情報に基づいて前記利用者を認証する認証部と、
を備える認証装置。
【請求項２】
基準点および前記基準点から内部の任意の点までを結ぶ線分を含みかつ利用者が入域可能な空間領域である照合エリアの内部全体において強さが予め定められた閾値以上である変動磁界を形成する形成部と、
前記利用者に所持されるスマートデバイスにトリガー信号を無線通信により送信する送信部と、
前記スマートデバイスが前記トリガー信号を受信するときに前記スマートデバイスから無線通信により送信される照合情報を受信し、前記スマートデバイスが搭載する磁気センサーが前記閾値以上の強さの変動磁界を検出するときに前記スマートデバイスから無線通信により送信される入域信号を受信する受信部と、
前記受信部が前記入域信号を受信したときに前記照合情報に基づいて前記利用者を認証する認証部と、
を備える認証装置。
【請求項３】
前記形成部は、長波または長波より波長の長い電磁波を放射する放射部を備え、前記放射部が放射する電磁波の磁界成分によって前記照合エリアの内部全体において強さが前記閾値以上の変動磁界を形成する
請求項１または請求項２に記載の認証装置。
【請求項４】
前記形成部は、前記放射部が放射する電磁波を前記磁気センサーが検出可能な周波数に振幅変調により変調する変調部を備え、前記変調部によって変調された電磁波の磁界成分によって前記照合エリアの内部全体において強さが前記閾値以上の変動磁界を形成する
請求項３に記載の認証装置。
【請求項５】
前記形成部は、前記放射部が放射する電磁波を前記磁気センサーが検出可能な周波数に変換する変調部を備え、前記変調部によって変換された電磁波の磁界成分によって前記照合エリアの内部全体において強さが前記閾値以上の変動磁界を形成する
請求項３に記載の認証装置。
【請求項６】
前記スマートデバイスに電磁波の放射によって無線通信の信号を送信する送信部
を備え、
前記形成部は、前記送信部が放射する電磁波を前記磁気センサーが検出可能な周波数に変調または変換する変調部を備え、前記変調部によって変調または変換された電磁波の磁界成分によって前記照合エリアの内部全体において強さが前記閾値以上の変動磁界を形成する
請求項１に記載の認証装置。
【請求項７】
前記送信部は、前記トリガー信号を電磁波の放射によって送信し、
前記形成部は、前記送信部が放射する電磁波を前記磁気センサーが検出可能な周波数に変調または変換する変調部を備え、前記変調部によって変調または変換された電磁波の磁界成分によって前記照合エリアの内部全体において強さが前記閾値以上の変動磁界を形成する
請求項２に記載の認証装置。
【請求項８】
前記形成部は、前記照合エリアの内部全体において強さが前記閾値以上の変動磁界を発生させる電磁石を備える
請求項１または請求項２に記載の認証装置。
【請求項９】
前記形成部は、前記照合エリアの内部全体において強さが前記閾値以上の変動磁界を発生させる回転磁石を備える
請求項１または請求項２に記載の認証装置。
【請求項１０】
利用者に所持され、磁気センサーを搭載し、前記磁気センサーが予め定められた閾値以上の強さの変動磁界を検出するときに無線通信によって照合情報を送信するスマートデバイスと、
基準点および前記基準点から内部の任意の点までを結ぶ線分を含みかつ前記利用者が入域可能な空間領域である照合エリアの内部全体において強さが前記閾値以上である変動磁界を形成し、前記スマートデバイスから前記照合情報を受信したときに前記照合情報に基づいて前記利用者を認証する認証装置と、
を備える認証システム。
【請求項１１】
利用者に所持され、磁気センサーを搭載し、無線通信により送信されるトリガー信号を受信するときに無線通信によって照合情報を送信し、前記磁気センサーが予め定められた閾値以上の強さの変動磁界を検出するときに無線通信によって入域信号を送信するスマートデバイスと、
基準点および前記基準点から内部の任意の点までを結ぶ線分を含みかつ前記利用者が入域可能な空間領域である照合エリアの内部全体において強さが前記閾値以上である変動磁界を形成し、前記スマートデバイスに前記トリガー信号を送信し、前記スマートデバイスから前記入域信号を受信したときに前記スマートデバイスから受信した前記照合情報に基づいて前記利用者を認証する認証装置と、
を備える認証システム。
【請求項１２】
利用者に所持され、磁気センサーを搭載し、前記磁気センサーが予め定められた閾値以上の強さの変動磁界を検出するときに無線通信によって照合情報を送信するスマートデバイスと、
基準点および前記基準点から内部の任意の点までを結ぶ線分を含みかつ前記利用者が入域可能な空間領域である照合エリアの内部全体において強さが前記閾値以上である変動磁界を形成し、前記スマートデバイスから前記照合情報を受信したときに前記照合情報に基づいて前記利用者を認証する認証装置と、
前記認証装置が前記利用者を認証したときに扉の施錠または解錠を行う電気錠と、
を備える入退室管理システム。
【請求項１３】
利用者に所持され、磁気センサーを搭載し、無線通信によってトリガー信号を受信するときに無線通信によって照合情報を送信し、前記磁気センサーが予め定められた閾値以上の強さの変動磁界を検出するときに無線通信によって入域信号を送信するスマートデバイスと、
基準点および前記基準点から内部の任意の点までを結ぶ線分を含みかつ前記利用者が入域可能な空間領域である照合エリアの内部全体において強さが前記閾値以上である変動磁界を形成し、前記スマートデバイスに前記トリガー信号を送信し、前記スマートデバイスから前記入域信号を受信したときに前記スマートデバイスから受信した前記照合情報に基づいて前記利用者を認証する認証装置と、
前記認証装置が前記利用者を認証したときに扉の施錠または解錠を行う電気錠と、
を備える入退室管理システム。
【請求項１４】
利用者に所持され、磁気センサーを搭載し、前記磁気センサーが予め定められた閾値以上の強さの変動磁界を検出するときに無線通信によって照合情報を送信するスマートデバイスと、
基準点および前記基準点から内部の任意の点までを結ぶ線分を含みかつ前記利用者が入域可能な空間領域である照合エリアの内部全体において強さが前記閾値以上である変動磁界を形成し、前記スマートデバイスから前記照合情報を受信したときに前記照合情報に基づいて前記利用者を認証する認証装置と、
前記認証装置が前記利用者を認証したときにエレベーターの呼びを登録するエレベーター制御盤と、
を備えるエレベーター配車管理システム。
【請求項１５】
利用者に所持され、磁気センサーを搭載し、無線通信によってトリガー信号を受信するときに無線通信によって照合情報を送信し、前記磁気センサーが予め定められた閾値以上の強さの変動磁界を検出するときに無線通信によって入域信号を送信するスマートデバイスと、
基準点および前記基準点から内部の任意の点までを結ぶ線分を含みかつ前記利用者が入域可能な空間領域である照合エリアの内部全体において強さが前記閾値以上である変動磁界を形成し、前記スマートデバイスに前記トリガー信号を送信し、前記スマートデバイスから前記入域信号を受信したときに前記スマートデバイスから受信した前記照合情報に基づいて前記利用者を認証する認証装置と、
前記認証装置が前記利用者を認証したときにエレベーターの呼びを登録するエレベーター制御盤と、
を備えるエレベーター配車管理システム。
【請求項１６】
利用者に所持され、磁気センサーを搭載し、前記磁気センサーが予め定められた閾値以上の強さの変動磁界を検出するときに無線通信によって照合情報を送信するスマートデバイスと、
基準点および前記基準点から内部の任意の点までを結ぶ線分を含みかつ前記利用者が入域可能な空間領域である照合エリアの内部全体において強さが前記閾値以上である変動磁界を形成し、前記スマートデバイスから前記照合情報を受信したときに前記照合情報に基づいて前記利用者を認証する認証装置と、
前記認証装置が前記利用者を認証したときに前記利用者の位置情報を前記認証装置が設けられる位置によって校正する校正装置と、
を備える測位システム。
【請求項１７】
利用者に所持され、磁気センサーを搭載し、無線通信によってトリガー信号を受信するときに無線通信によって照合情報を送信し、前記磁気センサーが予め定められた閾値以上の強さの変動磁界を検出するときに無線通信によって入域信号を送信するスマートデバイスと、
基準点および前記基準点から内部の任意の点までを結ぶ線分を含みかつ前記利用者が入域可能な空間領域である照合エリアの内部全体において強さが前記閾値以上である変動磁界を形成し、前記スマートデバイスに前記トリガー信号を送信し、前記スマートデバイスから前記入域信号を受信したときに前記スマートデバイスから受信した前記照合情報に基づいて前記利用者を認証する認証装置と、
前記認証装置が前記利用者を認証したときに前記利用者の位置情報を前記認証装置が設けられる位置によって校正する校正装置と、
を備える測位システム。
【請求項１８】
基準点および前記基準点から内部の任意の点までを結ぶ線分を含みかつ利用者が入域可能な空間領域である照合エリアの内部全体において強さが予め定められた閾値以上に形成された変動磁界を検出する磁気センサーと、
前記磁気センサーが前記閾値以上の強さの変動磁界を検出するときに、無線通信によって照合情報を受信したときに前記照合情報に基づいて前記利用者を認証する認証装置に、前記照合情報を無線通信によって送信する送信部と、
を備えるスマートデバイス。
【請求項１９】
基準点および前記基準点から内部の任意の点までを結ぶ線分を含みかつ利用者が入域可能な空間領域である照合エリアの内部全体において強さが予め定められた閾値以上に形成された変動磁界を検出する磁気センサーと、
無線通信によってトリガー信号を受信するときに、前記トリガー信号を送信した認証装置に対して、照合情報を無線通信によって送信し、前記磁気センサーが前記閾値以上の強さの変動磁界を検出するときに、無線通信によって入域信号を受信したときに前記照合情報に基づいて前記利用者を認証する認証装置に対して、前記入域信号を無線通信によって送信する送信部と、
を備えるスマートデバイス。
【発明の詳細な説明】
【技術分野】
【０００１】
本発明は、認証装置、認証システム、入退室管理システム、エレベーター配車管理システム、測位システム、およびスマートデバイスに関する。
【背景技術】
【０００２】
特許文献１に認証装置の例が記載されている。認証装置は、ＢＬＥ（Ｂｌｕｅｔｏｏｔｈ  Ｌｏｗ  Ｅｎｅｒｇｙ、Ｂｌｕｅｔｏｏｔｈは登録商標）規格の信号を発信する。スマートデバイスが認証装置に近づくことで当該信号を受信した場合に、認証装置は、スマートデバイスと通信することでスマートデバイスを所持している利用者を認証する。
【先行技術文献】
【特許文献】
【０００３】
【特許文献１】日本特開２０１７−１５７９３２号公報
【発明の概要】
【発明が解決しようとする課題】
【０００４】
ここで、ＢＬＥ規格の信号は、２．４ＧＨｚ帯の極超短波によって送信される。極超短波による信号の強度は、マルチパスなどによる干渉の影響によって空間的に不規則にばらつくことがある。このため、特許文献１の認証装置は、スマートデバイスを所持している利用者の認証が安定して行われる領域を設定することができない。【０００５】
本発明は、このような課題を解決するためになされた。本発明の目的は、スマートデバイスを所持している利用者の認証が安定して行われる領域を設定できる認証装置および当該認証装置に対応するスマートデバイスを提供することである。また、本発明の目的は、当該認証装置および当該スマートデバイスを用いた認証システム、入退室管理システム、エレベーター配車管理システム、および測位システムを提供することである。
【課題を解決するための手段】
【０００６】
本発明に係る認証装置は、基準点および基準点から内部の任意の点までを結ぶ線分を含みかつ利用者が入域可能な空間領域である照合エリアの内部全体において強さが予め定められた閾値以上である変動磁界を形成する形成部と、利用者に所持されるスマートデバイスが搭載する磁気センサーが閾値以上の強さの変動磁界を検出するときにスマートデバイスから無線通信により送信される照合情報を受信する受信部と、受信部が照合情報を受信したときに照合情報に基づいて利用者を認証する認証部と、を備える。【０００７】
本発明に係る認証装置は、基準点および基準点から内部の任意の点までを結ぶ線分を含みかつ利用者が入域可能な空間領域である照合エリアの内部全体において強さが予め定められた閾値以上である変動磁界を形成する形成部と、利用者に所持されるスマートデバイスにトリガー信号を無線通信により送信する送信部と、スマートデバイスがトリガー信号を受信するときにスマートデバイスから無線通信により送信される照合情報を受信し、スマートデバイスが搭載する磁気センサーが閾値以上の強さの変動磁界を検出するときにスマートデバイスから無線通信により送信される入域信号を受信する受信部と、受信部が入域信号を受信したときに照合情報に基づいて利用者を認証する認証部と、を備える。【０００８】
本発明に係る認証システムは、利用者に所持され、磁気センサーを搭載し、磁気センサーが予め定められた閾値以上の強さの変動磁界を検出するときに無線通信によって照合情報を送信するスマートデバイスと、基準点および基準点から内部の任意の点までを結ぶ線分を含みかつ利用者が入域可能な空間領域である照合エリアの内部全体において強さが閾値以上である変動磁界を形成し、スマートデバイスから照合情報を受信したときに照合情報に基づいて利用者を認証する認証装置と、を備える。【０００９】
本発明に係る認証システムは、利用者に所持され、磁気センサーを搭載し、無線通信により送信されるトリガー信号を受信するときに無線通信によって照合情報を送信し、磁気センサーが予め定められた閾値以上の強さの変動磁界を検出するときに無線通信によって入域信号を送信するスマートデバイスと、基準点および基準点から内部の任意の点までを結ぶ線分を含みかつ利用者が入域可能な空間領域である照合エリアの内部全体において強さが閾値以上である変動磁界を形成し、スマートデバイスにトリガー信号を送信し、スマートデバイスから入域信号を受信したときにスマートデバイスから受信した照合情報に基づいて利用者を認証する認証装置と、を備える。【００１０】
本発明に係る入退室管理システムは、利用者に所持され、磁気センサーを搭載し、磁気センサーが予め定められた閾値以上の強さの変動磁界を検出するときに無線通信によって照合情報を送信するスマートデバイスと、基準点および基準点から内部の任意の点までを結ぶ線分を含みかつ利用者が入域可能な空間領域である照合エリアの内部全体において強さが閾値以上である変動磁界を形成し、スマートデバイスから照合情報を受信したときに照合情報に基づいて利用者を認証する認証装置と、認証装置が利用者を認証したときに扉の施錠または解錠を行う電気錠と、を備える。【００１１】
本発明に係る入退室管理システムは、利用者に所持され、磁気センサーを搭載し、無線通信によってトリガー信号を受信するときに無線通信によって照合情報を送信し、磁気センサーが予め定められた閾値以上の強さの変動磁界を検出するときに無線通信によって入域信号を送信するスマートデバイスと、基準点および基準点から内部の任意の点までを結ぶ線分を含みかつ利用者が入域可能な空間領域である照合エリアの内部全体において強さが閾値以上である変動磁界を形成し、スマートデバイスにトリガー信号を送信し、スマートデバイスから入域信号を受信したときにスマートデバイスから受信した照合情報に基づいて利用者を認証する認証装置と、認証装置が利用者を認証したときに扉の施錠または解錠を行う電気錠と、を備える。【００１２】
本発明に係るエレベーター配車管理システムは、利用者に所持され、磁気センサーを搭載し、磁気センサーが予め定められた閾値以上の強さの変動磁界を検出するときに無線通信によって照合情報を送信するスマートデバイスと、基準点および基準点から内部の任意の点までを結ぶ線分を含みかつ利用者が入域可能な空間領域である照合エリアの内部全体において強さが閾値以上である変動磁界を形成し、スマートデバイスから照合情報を受信したときに照合情報に基づいて利用者を認証する認証装置と、認証装置が利用者を認証したときにエレベーターの呼びを登録するエレベーター制御盤と、を備える。【００１３】
本発明に係るエレベーター配車管理システムは、利用者に所持され、磁気センサーを搭載し、無線通信によってトリガー信号を受信するときに無線通信によって照合情報を送信し、磁気センサーが予め定められた閾値以上の強さの変動磁界を検出するときに無線通信によって入域信号を送信するスマートデバイスと、基準点および基準点から内部の任意の点までを結ぶ線分を含みかつ利用者が入域可能な空間領域である照合エリアの内部全体において強さが閾値以上である変動磁界を形成し、スマートデバイスにトリガー信号を送信し、スマートデバイスから入域信号を受信したときにスマートデバイスから受信した照合情報に基づいて利用者を認証する認証装置と、認証装置が利用者を認証したときにエレベーターの呼びを登録するエレベーター制御盤と、を備える。【００１４】
本発明に係る測位システムは、利用者に所持され、磁気センサーを搭載し、磁気センサーが予め定められた閾値以上の強さの変動磁界を検出するときに無線通信によって照合情報を送信するスマートデバイスと、基準点および基準点から内部の任意の点までを結ぶ線分を含みかつ利用者が入域可能な空間領域である照合エリアの内部全体において強さが閾値以上である変動磁界を形成し、スマートデバイスから照合情報を受信したときに照合情報に基づいて利用者を認証する認証装置と、認証装置が利用者を認証したときに利用者の位置情報を認証装置が設けられる位置によって校正する校正装置と、を備える。【００１５】
本発明に係る測位システムは、利用者に所持され、磁気センサーを搭載し、無線通信によってトリガー信号を受信するときに無線通信によって照合情報を送信し、磁気センサーが予め定められた閾値以上の強さの変動磁界を検出するときに無線通信によって入域信号を送信するスマートデバイスと、基準点および基準点から内部の任意の点までを結ぶ線分を含みかつ利用者が入域可能な空間領域である照合エリアの内部全体において強さが閾値以上である変動磁界を形成し、スマートデバイスにトリガー信号を送信し、スマートデバイスから入域信号を受信したときにスマートデバイスから受信した照合情報に基づいて利用者を認証する認証装置と、認証装置が利用者を認証したときに利用者の位置情報を認証装置が設けられる位置によって校正する校正装置と、を備える。【００１６】
本発明に係るスマートデバイスは、基準点および基準点から内部の任意の点までを結ぶ線分を含みかつ利用者が入域可能な空間領域である照合エリアの内部全体において強さが予め定められた閾値以上に形成された変動磁界を検出する磁気センサーと、磁気センサーが閾値以上の強さの変動磁界を検出するときに、無線通信によって照合情報を受信したときに照合情報に基づいて利用者を認証する認証装置に、照合情報を無線通信によって送信する送信部と、を備える。【００１７】
本発明に係るスマートデバイスは、基準点および基準点から内部の任意の点までを結ぶ線分を含みかつ利用者が入域可能な空間領域である照合エリアの内部全体において強さが予め定められた閾値以上に形成された変動磁界を検出する磁気センサーと、無線通信によってトリガー信号を受信するときに、トリガー信号を送信した認証装置に対して、照合情報を無線通信によって送信し、磁気センサーが閾値以上の強さの変動磁界を検出するときに、無線通信によって入域信号を受信したときに照合情報に基づいて利用者を認証する認証装置に対して、入域信号を無線通信によって送信する送信部と、を備える。
【発明の効果】
【００１８】
これらの発明によれば、利用者に所持されるスマートデバイスは、磁気センサーを搭載する。認証装置は、照合エリアの内部全体において強さが閾値以上である変動磁界を形成する。照合エリアは、基準点および前記基準点から内部の任意の点までを結ぶ線分を含みかつ前記利用者が入域可能な空間領域である。磁気センサーが閾値以上の強さの変動磁界を検出する場合にスマートデバイスが送信する無線信号を受信したときに、認証装置は、スマートデバイスから受信した照合情報に基づいて利用者を認証する。これにより、スマートデバイスを所持している利用者の認証が安定して行われる領域が設定される。
【図面の簡単な説明】
【００１９】
【図１】実施の形態１に係る認証システムの構成図である。
【図２】実施の形態１に係る認証システムのブロック図である。
【図３】実施の形態１に係る認証システムにおける変調の例を示す図である。
【図４】実施の形態１に係る認証システムの動作の例を示すフローチャートである。
【図５】実施の形態１に係る認証システムの動作の例を示すフローチャートである。
【図６】実施の形態１に係る認証システムの主要部のハードウェア構成を示す図である。
【図７】実施の形態２に係る認証システムの動作の例を示すフローチャートである。
【図８】実施の形態３に係る認証システムのブロック図である。
【発明を実施するための形態】
【００２０】
本発明を実施するための形態について添付の図面を参照しながら説明する。各図において、同一または相当する部分には同一の符号を付して、重複する説明は適宜に簡略化または省略する。
【００２１】
実施の形態１．
図１は、実施の形態１に係る認証システムの構成図である。
【００２２】
認証システム１は、建築物に適用される。
【００２３】
建築物において、扉２が設けられる。扉２は、例えば制限区域の境界に設けられる。制限区域は、入域できる利用者３が制限される区域である。
【００２４】
建築物は、複数の階を備える。建築物において、図示されないエレベーターが設けられる。エレベーターは、建築物の複数の階の間で利用者３を輸送する装置である。
【００２５】
認証システム１は、スマートデバイス４と、認証装置５と、電気錠６と、を備える。認証システム１は、入退室管理システムの例でもある。
【００２６】
スマートデバイス４は、利用者３に所持される。スマートデバイス４は、例えばスマートフォンなどの携帯情報機器である。スマートデバイス４において、認証システム１に対応する認証アプリケーションがインストールされている。
【００２７】
スマートデバイス４は、スマートデバイス４の運動を検出する運動センサーを備える。運動センサーは、例えば加速度センサーおよびジャイロセンサーなどのセンサーである。スマートデバイス４において、例えば運動センサーが検出する運動の情報などに基づいて、利用者３の移動量および移動方向を取得するＰＤＲアプリケーション（ＰＤＲ：Ｐｅｄｅｓｔｒｉａｎ  Ｄｅａｄ  Ｒｅｃｋｏｎｉｎｇ）がインストールされている。ＰＤＲアプリケーションは、取得した移動量および移動方向によって利用者３の位置情報を取得するアプリケーションである。
【００２８】
認証装置５は、認証の条件を満たす利用者３が照合エリア７に入域したときに当該利用者３を認証する装置である。認証装置５は、例えば扉２に隣接して設けられる。あるいは、認証装置５は、例えばエレベーターの乗場に設けられる。
【００２９】
照合エリア７は、認証装置５を含む空間領域である。照合エリア７は、内部に基準点Ｐを含む。基準点Ｐは、例えば認証装置５における一点である。照合エリア７は、基準点Ｐから内部の任意の点までを結ぶ線分を含む空間領域である。照合エリア７は、利用者３が入域可能な空間領域である。照合エリア７の大きさは、利用者３の大きさより大きい。照合エリア７は、内部に穴を有しないひとつながりの領域である。照合エリア７は、例えば、認証装置５を中心とする半径が例えば２ｍの球の内側である。照合エリア７は、壁、床および天井などの内部を除いた領域であってもよい。
【００３０】
電気錠６は、扉２に設けられる。電気錠６は、利用者３が認証されたときに、扉２の施錠および解錠をする装置である。
【００３１】
続いて、図２を用いて認証システム１の構成を説明する。
図２は、実施の形態１に係る認証システムのブロック図である。
【００３２】
認証システム１は、利用者情報サーバー８を備える。
【００３３】
利用者情報サーバー８は、利用者情報記憶部９と、利用者情報処理部１０と、を備える。利用者情報サーバー８は、例えばインターネットまたはイントラネットなどのネットワークによって認証装置５に接続される。
【００３４】
利用者情報記憶部９は、利用者情報データベースを記憶する部分である。利用者情報データベースは、利用者情報を登録するデータベースである。利用者情報は、例えば利用者３が所持するスマートデバイス４の識別情報を含む。スマートデバイス４の識別情報は、当該スマートデバイス４を識別する情報である。
【００３５】
利用者情報処理部１０は、利用者情報を利用者情報データベースに登録しうるように、利用者情報記憶部９に接続される。利用者情報処理部１０は、利用者情報または利用者情報に含まれる情報を送信しうるように、認証装置５に接続される。
【００３６】
スマートデバイス４は、送信部１１と、受信部１２と、磁気センサー１３と、通信制御部１４と、を備える。
【００３７】
送信部１１は、無線信号を送信する部分である。無線信号は、極超短波による例えばＢＬＥ規格の信号である。送信部１１は、送信アンテナ１５を備える。送信アンテナ１５は、電磁波による無線信号を送信する機器である。
【００３８】
送信部１１が送信する無線信号は、例えば照合情報を表す。照合情報は、スマートデバイス４を所持する利用者３の認証に用いられる情報である。照合情報は、例えば、利用者３または利用者３が所持するスマートデバイス４の属性などの情報を含む。照合情報は、例えばスマートデバイス４の識別情報を含む。
【００３９】
受信部１２は、無線信号を受信する部分である。無線信号は、極超短波による例えばＢＬＥ規格の信号である。受信部１２は、受信アンテナ１６を備える。受信アンテナ１６は、電磁波による無線信号を受信する機器である。
【００４０】
磁気センサー１３は、磁界を検出するセンサーである。磁気センサー１３は、例えばホール素子センサー、ＭＲセンサー（ＭＲ：ＭａｇｎｅｔｏＲｅｓｉｓｔａｎｃｅ）またはＭＩセンサー（ＭＩ：ＭａｇｎｅｔｏＩｍｐｅｄａｎｃｅ）などのセンサーである。磁気センサー１３は、磁界の変動の周波数について安定に検出できる上限を有してもよい。この周波数の上限である上限周波数は、例えば１０Ｈｚである。
【００４１】
通信制御部１４は、無線通信を制御する部分である。通信制御部１４は、受信した無線信号の内容を取得し得るように、受信部１２に接続される。通信制御部１４は、無線信号の送信を指示しうるように、送信部１１に接続される。通信制御部１４は、磁界の大きさの値を取得しるように、磁気センサー１３に接続される。
【００４２】
認証装置５は、形成部１７と、送信部１８と、受信部１９と、通信制御部２０と、認証情報記憶部２１と、認証情報処理部２２と、認証部２３と、を備える。
【００４３】
形成部１７は、照合エリア７の内部全体に閾値以上の強さの変動磁界を形成する部分である。変動磁界は、時間に対して変動する磁界である。変動磁界は、例えば交流磁界である。閾値は、予め定められた磁界の強さである。変動磁界が振動する磁界であるときに、閾値は、例えば磁界の振幅に対して定められる。例えば基準点Ｐが認証装置５における一点であるときに、変動磁界は、基準点Ｐからの距離に応じて強さが減衰する磁界であってもよい。
【００４４】
形成部１７は、放射部２４と、変調部２５と、を備える。放射部２４は、電磁波である長波を放射する部分である。電磁波は、変動磁界の成分を含む。変調部２５は、電磁波の変調または変換の処理を行う部分である。
【００４５】
送信部１８は、無線信号を送信する部分である。無線信号は、極超短波による例えばＢＬＥ規格の信号である。送信部１８は、送信アンテナ２６を備える。送信アンテナ２６は、無線信号を電磁波として送信する機器である。
【００４６】
受信部１９は、無線信号を受信する部分である。無線信号は、極超短波による例えばＢＬＥ規格の信号である。受信部１９は、受信アンテナ２７を備える。受信アンテナ２７は、電磁波として放射された無線信号を受信する機器である。受信部１９が受信する無線信号は、例えば照合情報を表す。
【００４７】
通信制御部２０は、無線通信を制御する部分である。通信制御部２０は、受信した無線信号の内容を取得し得るように、受信部１９に接続される。通信制御部２０は、無線信号の送信を指示しうるように、送信部１８に接続される。通信制御部２０は、変動磁界の形成を指示しうるように、形成部１７に接続される。
【００４８】
認証情報記憶部２１は、認証情報データベースを記憶する部分である。認証情報データベースは、認証情報を登録するデータベースである。認証情報は、認証の条件を表す情報である。認証情報は、例えば制限区域に入域が可能な利用者３が所持するスマートデバイス４の識別情報を含む。
【００４９】
認証情報処理部２２は、認証情報を認証情報データベースに登録しうるように、認証情報記憶部２１に接続される。認証情報処理部２２は、認証情報を取得しうるように、利用者情報サーバー８の利用者情報処理部１０に接続される。
【００５０】
認証部２３は、無線信号が表す照合情報を取得しうるように、通信制御部２０に接続される。認証部２３は、照合情報に基づいて、認証の条件を満たす利用者３を認証する部分である。認証の条件は、例えば、照合情報に含まれるスマートデバイス４の識別情報が認証情報データベースに登録されている識別情報に一致することなどである。利用者３が認証された場合に、認証部２３による認証の結果は、認証装置５の外部に出力される。
【００５１】
電気錠６は、認証の結果を取得しうるように、認証装置５の認証部２３に接続される。
【００５２】
認証システム１は、エレベーター制御盤２８を備える。認証システム１は、エレベーター配車管理システムの例でもある。
【００５３】
エレベーター制御盤２８は、建築物に設けられるエレベーターの動作を制御する装置である。エレベーター制御盤２８は、認証の結果を取得しうるように、認証装置５の認証部２３に接続される。
【００５４】
認証システム１は、校正装置２９を備える。認証システム１は、測位システムの例でもある。
【００５５】
校正装置２９は、スマートデバイス４が例えばＰＤＲアプリケーションによって取得した利用者３の位置情報を校正する装置である。校正装置２９は、認証の結果を取得しうるように、認証装置５の認証部２３に接続される。校正装置２９は、位置情報を通信しうるように、スマートデバイス４に無線通信によって接続される。
【００５６】
引き続き図２を用いて、認証システム１の機能を説明する。
【００５７】
まず、利用者情報の登録の機能を説明する。利用者情報は、例えば認証システム１の管理者によって登録される。
【００５８】
管理者は、登録する利用者情報を利用者情報処理部１０に入力する。利用者情報処理部１０は、利用者情報データベースに入力された利用者情報を登録する。入力された利用者情報が既に登録されている利用者３を表す場合に、利用者情報処理部１０は、利用者情報データベースに入力された利用者情報を更新してもよい。例えば登録された利用者情報が表す利用者３が制限区域に入域できる利用者３である場合に、利用者情報処理部１０は、認証情報を認証情報処理部２２に送信する。送信される認証情報は、例えば当該利用者３が所持するスマートデバイス４の識別情報と、制限区域を識別する情報との組である。
【００５９】
認証情報処理部２２は、利用者情報処理部１０から取得した認証情報を認証情報データベースに登録する。取得された認証情報が既に登録されている認証情報を変更する情報である場合に、認証情報処理部２２は、当該認証情報を更新してもよい。
【００６０】
次に、利用者３の認証の機能を説明する。
【００６１】
通信制御部２０は、送信部１８にトリガー信号の送信を指示する信号を出力する。送信部１８は、トリガー信号をＢＬＥ規格の信号により送信する。トリガー信号は、スマートデバイス４の認証アプリケーションの動作のトリガーとなる信号である。
【００６２】
通信制御部２０は、形成部１７に変動磁界の形成を指示する信号を出力する。形成部１７は、例えば次のように変動磁界を形成する。形成部１７は、例えば２つの形成方法を交互に切り替えて変動磁界を形成する。
【００６３】
形成部１７は、２つの形成方法の一方として、放射部２４から長波を放射することによって変動磁界を形成する。放射部２４が放射する長波の周波数は、例えば１００ｋＨｚである。放射部２４は、照合エリア７の内部全体において磁界成分の振幅が閾値以上となる出力で長波を放射する。
【００６４】
形成部１７は、２つの形成方法の他方として、放射部２４が放射する長波を変調部２５に変調させることによって変動磁界を形成する。変調部２５は、例えば振幅変調によって放射部２４が放射する長波を変調させる。スマートデバイス４に搭載される磁気センサー１３として複数の種類の磁気センサー１３が想定される場合に、変調部２５は、想定される磁気センサー１３の上限周波数のうち、最も低い周波数より低い周波数に長波を変調させる。変調部２５は、例えば１０Ｈｚ以下の周波数に長波を変調させる。
【００６５】
スマートデバイス４は、インストールされている認証アプリケーションによって認証システム１の認証についての動作をする。
【００６６】
受信部１２がトリガー信号を受信する場合に、通信制御部１４は、磁気センサー１３が検出する変動磁界の強さが閾値以上であるかを判定する。通信制御部１４は、例えば磁気センサー１３が検出する磁界を時間的に定常な成分と時間に対して変動する成分とに分離する。通信制御部１４は、定常な成分を地磁気によるものと判定する。通信制御部１４は、変動する成分を変動磁界によるものと判定する。通信制御部１４は、変動磁界の例えば振幅の大きさによって、変動磁界の強さが閾値以上であるかを判定する。
【００６７】
磁気センサー１３が検出する変動磁界の強さが閾値未満であるときに、通信制御部１４は、送信部１１に照合情報を送信させない。例えばスマートデバイス４が照合エリア７の外側にある場合に、磁気センサー１３が検出する変動磁界の強さが閾値未満になる。
【００６８】
一方、スマートデバイス４が照合エリア７の内側にある場合に、磁気センサー１３が検出する変動磁界の強さは閾値以上である。このときに、通信制御部１４は、送信部１１に照合情報の送信を指示する信号を出力する。送信部１１は、ＢＬＥ規格によって受信部１９との接続を確立する。このとき、送信部１１および受信部１９は、利用者３の操作を必要としない方法により通信する。利用者３の操作を必要としない方法は、例えばＢＬＥ規格において、ペアリングの認証操作を必要としないセキュリティレベルによる通信である。その後、送信部１１は、受信部１９に照合情報を送信する。
【００６９】
通信制御部２０は、受信部１９が照合情報を表す無線信号を受信したときに、照合情報を取得する。通信制御部２０は、取得した照合情報が例えば暗号化されている場合に、復号化の処理を行う。通信制御部２０は、照合情報からスマートデバイス４の識別情報を抽出する。通信制御部２０は、抽出した識別情報を認証部２３に出力する。
【００７０】
認証部２３は、認証情報を認証情報データベースから取得する。認証部２３は、取得した認証情報および識別情報に基づいて、当該識別情報に識別されるスマートデバイス４を所持する利用者３が認証の条件を満たすかを判定する。当該利用者３が認証の条件を満たすと認証部２３が判定する場合に、認証部２３は、認証信号を電気錠６、エレベーター制御盤２８、および校正装置２９に出力する。一方、当該利用者３が認証の条件を満たさないと認証部２３が判定する場合に、認証部２３は、認証信号を出力しない。
【００７１】
電気錠６は、認証信号が入力されたときに、扉２を解錠する。利用者３は、扉２を通行して制限区域に入域できるようになる。電気錠６は、例えば扉２を解錠したあと予め定められた時間が経過したときに、扉２を施錠する。あるいは、電気錠６は、認証信号が入力されたときに、解錠されている扉２を施錠してもよい。
【００７２】
エレベーター制御盤２８は、認証信号が入力されたときに、エレベーターの呼びを登録する。当該呼びは、例えば認証装置５が設けられる階からの乗場呼びとして登録される。エレベーター制御盤２８は、登録された呼びに従ってエレベーターのかごを認証装置５が設けられる階に走行させる。
【００７３】
校正装置２９は、認証信号が入力されたときに、認証された利用者３の位置情報を認証装置５の位置によって校正する。校正装置２９は、当該利用者３の位置情報を、例えば照合エリア７の内部の位置に校正する。校正装置２９は、校正した後の位置情報をスマートデバイス４に送信する。スマートデバイス４は、校正装置２９から受信した位置情報によって現在の利用者３の位置情報を更新する。
【００７４】
続いて、図３を用いて変調部２５による変調の例を説明する。
図３は、実施の形態１に係る認証システムにおける変調の例を示す図である。
【００７５】
図３において、変調部２５の振幅変調によって１００ｋＨｚから６．６Ｈｚに変調された電磁波による磁界の時間変化が示される。図３の横軸は、時間を表す。図３の縦軸は、磁界の強さを表す。なお、図３において、１００ｋＨｚの搬送波は、図示のために１００ｋＨｚより低い周波数で描かれている。
【００７６】
搬送波は、放射部２４が放射する長波である。変調部２５は、放射部２４が放射する長波の出力を強弱の２段階で変化させる。変調部２５は、６５ｍｓの間、強い出力で放射部２４に長波を出力させる。変調部２５は、その後、８５ｍｓの間、弱い出力で放射部２４に長波を出力させる。変調部２５は、１５０ｍｓの周期でこれを繰り返す。１５０ｍｓの周期は、６．６Ｈｚの周波数に対応する。このため、放射部２４が放射する長波の出力の包絡線は、６．６Ｈｚの矩形波となる。
【００７７】
続いて、図４および図５を用いて認証システム１の動作の例を説明する。
図４および図５は、実施の形態１に係る認証システムの動作の例を示すフローチャートである。
【００７８】
図４において、利用者情報の登録に係る認証システム１の動作の例が示される。
【００７９】
ステップＳ１１において、利用者情報サーバー８の利用者情報処理部１０は、利用者情報の入力を受け付ける。その後、認証システム１の動作は、ステップＳ１２に進む。
【００８０】
ステップＳ１２において、利用者情報処理部１０は、入力された利用者情報を利用者情報データベースに登録する。その後、利用者情報処理部１０は、認証情報を認証装置５の認証情報処理部２２に送信する。その後、認証システム１の動作は、ステップＳ１３に進む。
【００８１】
ステップＳ１３において、認証情報処理部２２は、受信した認証情報を認証情報データベースに登録する。その後、利用者情報の登録に係る認証システム１の動作は、終了する。
【００８２】
図５において、利用者３の認証に係る認証システム１の動作の例が示される。
【００８３】
図５の左側において、認証装置５の動作が示される。
【００８４】
ステップＳ２１において、通信制御部２０は、送信部１８にトリガー信号の送信を指示する。また、通信制御部２０は、形成部１７に変動磁界の形成を指示する。その後、認証装置５の動作は、ステップＳ２２に進む。
【００８５】
ステップＳ２２において、送信部１８は、トリガー信号を送信する。その後、認証装置５の動作は、ステップＳ２３に進む。
【００８６】
ステップＳ２３において、形成部１７は、変動磁界を形成する。その後、認証装置５の動作は、ステップＳ２４に進む。形成部１７は、例えば通信制御部２０から変動磁界の形成を終了する指示があるまで、変動磁界の形成を継続してもよい。
【００８７】
ステップＳ２４において、通信制御部２０は、受信部１９が照合情報を受信したかを判定する。判定結果がＮＯである場合に、認証装置５の動作は、ステップＳ２１に進む。判定結果がＹＥＳである場合に、認証装置５の動作は、ステップＳ２５に進む。
【００８８】
ステップＳ２５において、通信制御部２０は、受信部１９が受信した照合情報から識別情報を抽出する。その後、認証装置５の動作は、ステップＳ２６に進む。
【００８９】
ステップＳ２６において、認証部２３は、認証情報および通信制御部２０が抽出した識別情報に基づいて、認証の条件が満たされるかを判定する。判定結果がＮＯである場合に、認証装置５の動作は、ステップＳ２１に進む。判定結果がＹＥＳである場合に、認証装置５の動作は、ステップＳ２７に進む。
【００９０】
ステップＳ２７において、認証部２３は、認証信号を出力する。その後、認証装置５の動作は、ステップＳ２１に進む。
【００９１】
図５の右側において、認証アプリケーションによるスマートデバイス４の動作が示される。
【００９２】
ステップＳ３１において、受信部１２は、トリガー信号を受信する。その後、スマートデバイス４の動作は、ステップＳ３２に進む。
【００９３】
ステップＳ３２において、通信制御部１４は、磁気センサー１３が検出する変動磁界の強さが閾値以上であるかを判定する。判定結果がＮＯである場合に、スマートデバイス４の動作は、再びステップＳ３２に進む。判定結果がＹＥＳである場合に、スマートデバイス４の動作は、ステップＳ３３に進む。
【００９４】
ステップＳ３３において、通信制御部１４は、送信部１１に照合情報の送信を指示する。その後、スマートデバイス４の動作は、ステップＳ３４に進む。
【００９５】
ステップＳ３４において、送信部１１は、照合情報を送信する。その後、スマートデバイス４の動作は、ステップＳ３１に進む。
【００９６】
以上に説明したように、実施の形態１に係る認証装置５は、形成部１７と、受信部１９と、認証部２３と、を備える。形成部１７は、照合エリア７の内部全体において強さが予め定められた閾値以上である変動磁界を形成する。照合エリア７は、利用者３が入域可能な空間領域である。照合エリア７は、基準点Ｐおよび基準点Ｐから内部の任意の点までを結ぶ線分を含む。受信部１９は、スマートデバイス４から無線通信により送信される照合情報を受信する。スマートデバイス４は、利用者３に所持される。スマートデバイス４は、磁気センサー１３を搭載する。照合情報は、磁気センサー１３が閾値以上の強さの変動磁界を検出するときに送信される。認証部２３は、受信部１９が照合情報を受信したときに照合情報に基づいて利用者３を認証する。
【００９７】
また、実施の形態１に係る認証システム１は、スマートデバイス４と、認証装置５と、を備える。スマートデバイス４は、利用者３に所持される。スマートデバイス４は、磁気センサー１３を搭載する。スマートデバイス４は、磁気センサー１３が予め定められた閾値以上の強さの変動磁界を検出するときに無線通信によって照合情報を送信する。認証装置５は、照合エリア７の内部全体において強さが予め定められた閾値以上である変動磁界を形成する。照合エリア７は、利用者３が入域可能な空間領域である。照合エリア７は、基準点Ｐおよび基準点Ｐから内部の任意の点までを結ぶ線分を含む。認証装置５は、スマートデバイス４から照合情報を受信したときに照合情報に基づいて利用者３を認証する。
【００９８】
また、実施の形態１に係るスマートデバイス４は、磁気センサー１３と、送信部１１と、を備える。磁気センサー１３は、照合エリア７の内部全体において強さが予め定められた閾値以上に形成された変動磁界を検出する。照合エリア７は、利用者３が入域可能な空間領域である。照合エリア７は、基準点Ｐおよび基準点Ｐから内部の任意の点までを結ぶ線分を含む。送信部１１は、磁気センサー１３が閾値以上の強さの変動磁界を検出するときに、認証装置５に照合情報を無線通信によって送信する。認証装置５は、無線通信によって照合情報を受信したときに照合情報に基づいて利用者３を認証する。
【００９９】
磁気センサー１３は、照合エリア７の内部全体において、閾値以上の強さの変動磁界を検出する。磁気センサー１３が当該磁界を検出するときに、認証装置５は、照合情報に基づいて利用者３を認証する。すなわち、形成部１７が形成する変動磁界によって、照合エリア７の内部全体がスマートデバイス４を所持している利用者３の認証が安定して行われる領域として設定される。
【０１００】
長波などの波長の長い電磁波は、マルチパスによる影響を受けにくい。一方、長波などを用いた無線通信は、長波用のアンテナなどのハードウェアおよび通信プロトコルに対応したソフトウェアなどを必要とする。一方、認証システム１において、スマートデバイス４は、物理的な量としての変動磁界の強さによって照合エリア７に入域したことを検知する。このため、磁気センサー１３を搭載しているスマートデバイス４であれば、認証システム１に適用できる。スマートデバイス４は、例えば電子コンパス用に地磁気を計測するセンサーとして搭載されているセンサーなどを磁気センサー１３として利用できる。当該センサーは、普及品の汎用のスマートデバイス４に広く搭載されている。このため、普及品のスマートデバイス４を用いた認証システム１の構築ができる。
【０１０１】
認証システム１は、利用者３が照合エリア７に入域してから当該利用者３の認証まで、利用者３の操作を必要としない。このため、認証システム１は、スマートデバイス４の歩きながらの操作を誘発しない。これにより、利用者３の安全性が向上する。
【０１０２】
また、形成部１７は、放射部２４を備える。放射部２４は、長波を放射する。形成部１７は、放射部２４が放射する電磁波である長波の磁界成分によって、照合エリア７の内部全体において強さが閾値以上の変動磁界を形成する。
【０１０３】
長波などの波長の長い電磁波は、マルチパスによる影響を受けにくい。電磁波は、変動磁界の成分を有する。変動磁界としての長波は、変動磁界の強さの分布に干渉などによる空間的なばらつきが生じにくい。このため、形成部１７は、基準点Ｐからの距離に応じて減衰する変動磁界を形成できる。これにより、形成部１７は、照合エリア７の内部全体において閾値以上の強さの変動磁界を形成できる。なお、放射部２４は、長波より波長の長い電磁波を放射してもよい。
【０１０４】
また、形成部１７は、変調部２５を備える。変調部２５は、放射部２４が放射する電磁波を磁気センサー１３が検出可能な周波数に振幅変調により変調する。形成部１７は、変調部２５によって変調された電磁波の磁界成分によって、照合エリア７の内部全体において強さが閾値以上の変動磁界を形成する。なお、変調部２５は、放射部２４が放射する電磁波の周波数を磁気センサー１３が検出可能な周波数に変換してもよい。このとき、変調部２５は、例えば局部発振器および混合器などを備えてもよい。局部発振器は、周波数変換のための予め定められた周波数の信号を発振する機器である。混合器は、局部発振器の信号と放射部２４が放射する電磁波を表す信号とを混合する機器である。
【０１０５】
これにより、磁界の変動の周波数について安定に検出できる上限をする磁気センサー１３を搭載するスマートデバイス４を用いた認証システム１の構築ができる。
【０１０６】
認証装置５は、例えば専用のタグ装置などとの間で、長波による通信を行ってもよい。このとき、形成部１７の放射部２４は、例えば長波による通信を行う長波アンテナであってもよい。通信制御部２０は、時間的に交互に、長波による通信および長波の放射による変動磁界の形成を当該長波アンテナにさせてもよい。
【０１０７】
また、形成部１７は、照合エリア７の内部全体において強さが閾値以上の変動磁界を発生させる電磁石を備えてもよい。あるいは、形成部１７は、照合エリア７の内部全体において強さが前記閾値以上の変動磁界を発生させる回転磁石を備えてもよい。形成部１７は、放射部２４とともに電磁石または回転磁石を備えてもよい。形成部１７は、放射部２４に替えて電磁石または回転磁石を備えてもよい。
【０１０８】
これにより、形成部１７は、磁気センサー１３が検出可能な周波数で変動する変動磁界を直接的に形成できる。
【０１０９】
また、実施の形態１に係る入退室管理システムは、スマートデバイス４と、認証装置５と、電気錠６と、を備える。スマートデバイス４は、利用者３に所持される。スマートデバイス４は、磁気センサー１３を搭載する。スマートデバイス４は、磁気センサー１３が予め定められた閾値以上の強さの変動磁界を検出するときに無線通信によって照合情報を送信する。認証装置５は、照合エリア７の内部全体において強さが予め定められた閾値以上である変動磁界を形成する。照合エリア７は、利用者３が入域可能な空間領域である。照合エリア７は、基準点Ｐおよび基準点Ｐから内部の任意の点までを結ぶ線分を含む。認証装置５は、スマートデバイス４から照合情報を受信したときに照合情報に基づいて利用者３を認証する。認証装置５が利用者３を認証したときに、電気錠６は、扉２の施錠または解錠を行う。
【０１１０】
認証装置５は、利用者３が照合エリア７の基準点Ｐから遠方にいるときに、当該利用者３を認証しない。このため、電気錠６は、遠くの利用者３を認証することなどによる不要な解錠を行わない。これにより、建築物のセキュリティ性が高まる。また、認証装置５は、利用者３が照合エリア７の内部に入域したときに当該利用者３を認証する。このため、電気錠６の解錠の遅れが防がれる。これにより、利用者３が扉２の前で解錠を待って立ち止まることなどが防がれる。したがって、利用者３の利便性が高まる。
【０１１１】
また、実施の形態１に係るエレベーター配車管理システムは、スマートデバイス４と、認証装置５と、エレベーター制御盤２８と、を備える。スマートデバイス４は、利用者３に所持される。スマートデバイス４は、磁気センサー１３を搭載する。スマートデバイス４は、磁気センサー１３が予め定められた閾値以上の強さの変動磁界を検出するときに無線通信によって照合情報を送信する。認証装置５は、照合エリア７の内部全体において強さが予め定められた閾値以上である変動磁界を形成する。照合エリア７は、利用者３が入域可能な空間領域である。照合エリア７は、基準点Ｐおよび基準点Ｐから内部の任意の点までを結ぶ線分を含む。認証装置５は、スマートデバイス４から照合情報を受信したときに照合情報に基づいて利用者３を認証する。認証装置５が利用者３を認証したときに、エレベーター制御盤２８は、エレベーターの呼びを登録する。
【０１１２】
認証装置５は、利用者３が照合エリア７の基準点Ｐから遠方にいるときに、当該利用者３を認証しない。このため、エレベーター制御盤２８は、利用者３が乗場に到着するまで不必要に長くかごを乗場に待機させない。これにより、エレベーターの利用の効率が高くなる。認証装置５は、利用者３が照合エリア７の内部に入域したときに当該利用者３を認証する。このため、エレベーターの呼びの登録の遅れが防がれる。これにより、利用者３がエレベーターの乗場においてかごの到着を待つ時間が低減される。したがって、利用者３の利便性が高まる。
【０１１３】
また、実施の形態１に係る測位システムは、スマートデバイス４と、認証装置５と、校正装置２９と、を備える。スマートデバイス４は、利用者３に所持される。スマートデバイス４は、磁気センサー１３を搭載する。スマートデバイス４は、磁気センサー１３が予め定められた閾値以上の強さの変動磁界を検出するときに無線通信によって照合情報を送信する。認証装置５は、照合エリア７の内部全体において強さが予め定められた閾値以上である変動磁界を形成する。照合エリア７は、利用者３が入域可能な空間領域である。照合エリア７は、基準点Ｐおよび基準点Ｐから内部の任意の点までを結ぶ線分を含む。認証装置５は、スマートデバイス４から照合情報を受信したときに照合情報に基づいて利用者３を認証する。認証装置５が利用者３を認証したときに、校正装置２９は、利用者３の位置情報を認証装置５が設けられる位置によって校正する。
【０１１４】
認証装置５は、利用者３が照合エリア７の内部に入域したときに当該利用者３を認証する。このため、測位システムは、利用者３の位置を校正装置２９から照合エリア７内の位置に特定できる。ＰＤＲアプリケーションにおいて利用者３の位置情報に誤差が蓄積する場合においても、測位システムは、利用者３の位置情報を校正できる。これにより、測位システムにおいて、利用者３の位置情報の精度が向上する。
【０１１５】
測位システムが屋内の位置情報を取得する屋内測位システムである場合に、衛星航法システムなどによる位置情報の校正は難しい。この場合の測位システムにおいても、利用者３の位置情報の精度が向上する。
【０１１６】
なお、スマートデバイス４の送信部１１および受信部１２は、単一のアンテナを送信アンテナ１５および受信アンテナ１６として共用してもよい。認証装置５の送信部１８および受信部１９は、単一のアンテナを送信アンテナ２６および受信アンテナ２７として共用してもよい。
【０１１７】
スマートデバイス４および認証装置５は、Ｗｉ−Ｆｉ規格またはその他の規格によって無線通信を行ってもよい。
【０１１８】
認証システム１は、複数の認証装置５を備えてもよい。複数の認証装置５の各々は、電気錠６、エレベーター制御盤２８、校正装置２９およびその他の装置について、認証情報を送信する装置が選択されてもよい。複数の認証装置５の各々は、認証の要件が異なっていてもよい。
【０１１９】
認証装置５は、利用者情報処理部１０および利用者情報記憶部９を備えてもよい。利用者情報サーバー８は、認証部２３、認証情報記憶部２１および認証情報処理部２２を備えてもよい。認証システム１は、認証サーバーを備えてもよい。認証サーバーは、認証部２３、認証情報記憶部２１および認証情報処理部２２を備えてもよい。
【０１２０】
続いて、図６を用いて認証システム１のハードウェア構成の例について説明する。
図６は、実施の形態１に係る認証システムの主要部のハードウェア構成を示す図である。
【０１２１】
認証システム１の各機能は、処理回路により実現し得る。処理回路は、少なくとも１つのプロセッサ１ｂと少なくとも１つのメモリ１ｃとを備える。処理回路は、プロセッサ１ｂおよびメモリ１ｃと共に、或いはそれらの代用として、少なくとも１つの専用のハードウェア１ａを備えてもよい。
【０１２２】
処理回路がプロセッサ１ｂとメモリ１ｃとを備える場合、認証システム１の各機能は、ソフトウェア、ファームウェア、またはソフトウェアとファームウェアとの組み合わせで実現される。ソフトウェアおよびファームウェアの少なくとも一方は、プログラムとして記述される。そのプログラムはメモリ１ｃに格納される。プロセッサ１ｂは、メモリ１ｃに記憶されたプログラムを読み出して実行することにより、認証システム１の各機能を実現する。
【０１２３】
プロセッサ１ｂは、ＣＰＵ（Ｃｅｎｔｒａｌ  Ｐｒｏｃｅｓｓｉｎｇ  Ｕｎｉｔ）、処理装置、演算装置、マイクロプロセッサ、マイクロコンピュータ、ＤＳＰともいう。メモリ１ｃは、例えば、ＲＡＭ、ＲＯＭ、フラッシュメモリ、ＥＰＲＯＭ、ＥＥＰＲＯＭ等の、不揮発性または揮発性の半導体メモリ、磁気ディスク、フレキシブルディスク、光ディスク、コンパクトディスク、ミニディスク、ＤＶＤ等により構成される。
【０１２４】
処理回路が専用のハードウェア１ａを備える場合、処理回路は、例えば、単一回路、複合回路、プログラム化したプロセッサ、並列プログラム化したプロセッサ、ＡＳＩＣ、ＦＰＧＡ、またはこれらの組み合わせで実現される。
【０１２５】
認証システム１の各機能は、それぞれ処理回路で実現することができる。あるいは、認証システム１の各機能は、まとめて処理回路で実現することもできる。認証システム１の各機能について、一部を専用のハードウェア１ａで実現し、他部をソフトウェアまたはファームウェアで実現してもよい。このように、処理回路は、ハードウェア１ａ、ソフトウェア、ファームウェア、またはこれらの組み合わせで認証システム１の各機能を実現する。例えばスマートデバイス４は、スマートデバイス４の各機能を実現する処理回路を搭載する。また、認証装置５は、認証装置５の各機能を実現する処理回路を搭載する。
【０１２６】
実施の形態２．
実施の形態２では、実施の形態１で開示された例と相違する点について詳しく説明する。実施の形態２で説明しない特徴については、実施の形態１で開示された例のいずれの特徴が採用されてもよい。
【０１２７】
図７を用いて、実施の形態２に係る認証システム１の機能を説明する。
図７は、実施の形態２に係る認証システムの動作の例を示すフローチャートである。
【０１２８】
受信部１２がトリガー信号を受信する場合に、通信制御部１４は、磁気センサー１３が検出する変動磁界の強さに関わらず、送信部１１に照合情報を送信させる。
【０１２９】
通信制御部２０は、受信部１９が照合情報の信号を受信したときに、照合情報を取得する。通信制御部２０は、取得した照合情報が例えば暗号化されている場合に、復号化の処理を行う。通信制御部２０は、照合情報からスマートデバイス４の識別情報を抽出する。通信制御部２０は、抽出した識別情報を認証部２３に出力する。
【０１３０】
認証部２３は、認証情報を認証情報データベースから取得する。認証部２３は、取得した認証情報および識別情報に基づいて、当該識別情報に識別されるスマートデバイス４を所持する利用者３が認証の条件を満たすかを判定する。当該利用者３が認証の条件を満たすと判定する場合に、認証部２３は、入域信号の入力を待機する。当該利用者３が認証の条件を満たすと判定しない場合に、認証部２３は、入域信号の入力を待機せずに、取得した識別情報を破棄する。
【０１３１】
通信制御部１４は、磁気センサー１３が検出する変動磁界の強さが閾値以上であるかを判定する。スマートデバイス４が照合エリア７の内側にある場合に、磁気センサー１３が検出する変動磁界の強さは閾値以上である。このときに、通信制御部１４は、送信部１１に入域信号の送信を指示する信号を出力する。送信部１１は、受信部１９に入域信号を送信する。
【０１３２】
通信制御部２０は、受信部１９が入域信号の信号を受信したときに、入域信号を認証部２３に出力する。
【０１３３】
認証部２３は、入域信号の入力を待機しているときに、入域信号が入力された場合に、利用者３を認証する。認証部２３は、認証信号を電気錠６、エレベーター制御盤２８、および校正装置２９に出力する。
【０１３４】
引き続き図７を用いて、実施の形態２に係る認証システム１の動作を説明する。
図７において、利用者３の認証に係る認証システム１の動作の例が示される。
【０１３５】
図７の左側において、認証装置５の動作が示される。
【０１３６】
ステップＳ４１において、通信制御部２０は、送信部１８にトリガー信号の送信を指示する。また、通信制御部２０は、形成部１７に変動磁界の形成を指示する。その後、認証装置５の動作は、ステップＳ４２に進む。
【０１３７】
ステップＳ４２において、送信部１８は、トリガー信号を送信する。その後、認証装置５の動作は、ステップＳ４３に進む。
【０１３８】
ステップＳ４３において、形成部１７は、変動磁界を形成する。その後、認証装置５の動作は、ステップＳ４４に進む。形成部１７は、例えば通信制御部２０から変動磁界の形成を終了する指示があるまで、変動磁界の形成を継続してもよい。
【０１３９】
ステップＳ４４において、通信制御部２０は、受信部１９が照合情報を受信したかを判定する。判定結果がＮＯである場合に、認証装置５の動作は、ステップＳ４１に進む。判定結果がＹＥＳである場合に、認証装置５の動作は、ステップＳ４５に進む。
【０１４０】
ステップＳ４５において、通信制御部２０は、受信部１９が受信した照合情報から識別情報を抽出する。その後、認証装置５の動作は、ステップＳ４６に進む。
【０１４１】
ステップＳ４６において、認証部２３は、認証情報および通信制御部２０が抽出した識別情報に基づいて、認証の条件が満たされるかを判定する。判定結果がＮＯである場合に、認証装置５の動作は、ステップＳ４１に進む。判定結果がＹＥＳである場合に、認証装置５の動作は、ステップＳ４７に進む。
【０１４２】
ステップＳ４７において、通信制御部２０は、受信部１９が入域信号を受信したかを判定する。判定結果がＮＯである場合に、認証装置５の動作は、再びステップＳ４７に進む。判定結果がＹＥＳである場合に、認証装置５の動作は、ステップＳ４８に進む。
【０１４３】
ステップＳ４８において、認証部２３は、認証信号を出力する。その後、認証装置５の動作は、ステップＳ４１に進む。
【０１４４】
図７の右側において、認証アプリケーションによるスマートデバイス４の動作が示される。
【０１４５】
ステップＳ５１において、受信部１２は、トリガー信号を受信する。その後、スマートデバイス４の動作は、ステップＳ５２に進む。
【０１４６】
ステップＳ５２において、通信制御部１４は、送信部１１に照合情報の送信を指示する。その後、スマートデバイス４の動作は、ステップＳ５３に進む。
【０１４７】
ステップＳ５３において、送信部１１は、照合情報を送信する。その後、スマートデバイス４の動作は、ステップＳ５４に進む。
【０１４８】
ステップＳ５４において、通信制御部１４は、磁気センサー１３が検出する変動磁界の強さが閾値以上であるかを判定する。判定結果がＮＯである場合に、スマートデバイス４の動作は、再びステップＳ５４に進む。判定結果がＹＥＳである場合に、スマートデバイス４の動作は、ステップＳ５５に進む。
【０１４９】
ステップＳ５５において、送信部１１は、入域信号を送信する。その後、スマートデバイス４の動作は、ステップＳ５１に進む。
【０１５０】
以上のように、実施の形態２に係る認証装置５は、形成部１７と、送信部１８と、受信部１９と、認証部２３と、を備える。形成部１７は、照合エリア７の内部全体において強さが予め定められた閾値以上である変動磁界を形成する。照合エリア７は、利用者３が入域可能な空間領域である。照合エリア７は、基準点Ｐおよび基準点Ｐから内部の任意の点までを結ぶ線分を含む。送信部１８は、スマートデバイス４にトリガー信号を無線通信により送信する。スマートデバイス４は、利用者３に所持される。受信部１９は、スマートデバイス４から無線通信により送信される照合情報を受信する。受信部１９は、スマートデバイス４から無線通信により送信される入域信号を受信する。スマートデバイス４は、磁気センサー１３を搭載する。照合情報は、スマートデバイス４がトリガー信号を受信するときに送信される。入域信号は、磁気センサー１３が閾値以上の強さの変動磁界を検出するときに送信される。認証部２３は、受信部１９が入域信号を受信したときに照合情報に基づいて利用者３を認証する。
【０１５１】
また、実施の形態２に係る認証システム１は、スマートデバイス４と、認証装置５と、を備える。スマートデバイス４は、利用者３に所持される。スマートデバイス４は、磁気センサー１３を搭載する。スマートデバイス４は、無線通信により送信されるトリガー信号を受信するときに無線通信によって照合情報を送信する。スマートデバイス４は、磁気センサー１３が予め定められた閾値以上の強さの変動磁界を検出するときに無線通信によって入域信号を送信する。認証装置５は、照合エリア７の内部全体において強さが予め定められた閾値以上である変動磁界を形成する。照合エリア７は、利用者３が入域可能な空間領域である。照合エリア７は、基準点Ｐおよび基準点Ｐから内部の任意の点までを結ぶ線分を含む。認証装置５は、スマートデバイス４から入域信号を受信したときに照合情報に基づいて利用者３を認証する。
【０１５２】
また、実施の形態２に係るスマートデバイス４は、磁気センサー１３と、送信部１１と、を備える。磁気センサー１３は、照合エリア７の内部全体において強さが予め定められた閾値以上に形成された変動磁界を検出する。照合エリア７は、利用者３が入域可能な空間領域である。照合エリア７は、基準点Ｐおよび基準点Ｐから内部の任意の点までを結ぶ線分を含む。送信部１１は、無線通信により送信されるトリガー信号を受信するときに、認証装置５に照合情報を無線通信によって送信する。送信部１１は、磁気センサー１３が閾値以上の強さの変動磁界を検出するときに、認証装置５に入域信号を無線通信によって送信する。認証装置５は、無線通信によって入域信号を受信したときに照合情報に基づいて利用者３を認証する。
【０１５３】
磁気センサー１３は、照合エリア７の内部全体において、閾値以上の強さの変動磁界を検出する。磁気センサー１３が当該磁界を検出するときに、認証装置５は、照合情報に基づいて利用者３を認証する。すなわち、形成部１７が形成する変動磁界によって、照合エリア７の内部全体がスマートデバイス４を所持している利用者３の認証が安定して行われる領域として設定される。
【０１５４】
認証システム１は、スマートデバイス４が照合エリア７に入域する前に、スマートデバイス４を所持する利用者３が認証の条件を満たすか否かを予め判定できる。このため、認証システム１は、スマートデバイス４が照合エリア７に入域したときに速やかに認証の処理を行うことができる。これにより、認証の応答速度が向上する。また、認証エリア内の機器との認証装置５の通信量が低減される。このため、認証エリア内において同時に認証できる利用者３の数が増える。
【０１５５】
また、実施の形態２に係る入退室管理システムは、スマートデバイス４と、認証装置５と、電気錠６と、を備える。スマートデバイス４は、利用者３に所持される。スマートデバイス４は、磁気センサー１３を搭載する。スマートデバイス４は、無線通信により送信されるトリガー信号を受信するときに無線通信によって照合情報を送信する。スマートデバイス４は、磁気センサー１３が予め定められた閾値以上の強さの変動磁界を検出するときに無線通信によって入域信号を送信する。認証装置５は、照合エリア７の内部全体において強さが予め定められた閾値以上である変動磁界を形成する。照合エリア７は、利用者３が入域可能な空間領域である。照合エリア７は、基準点Ｐおよび基準点Ｐから内部の任意の点までを結ぶ線分を含む。認証装置５は、スマートデバイス４から入域信号を受信したときに照合情報に基づいて利用者３を認証する。認証装置５が利用者３を認証したときに、電気錠６は、扉２の施錠または解錠を行う。
【０１５６】
入退室管理システムは、スマートデバイス４が照合エリア７に入域したときに速やかに認証の処理を行う。このため、電気錠６の不要な解錠がより確実に防がれる。また、同時に認証できる利用者３の数が増える。このため、利用者３の利便性がより高まる。
【０１５７】
また、実施の形態２に係るエレベーター配車管理システムは、スマートデバイス４と、認証装置５と、エレベーター制御盤２８と、を備える。スマートデバイス４は、利用者３に所持される。スマートデバイス４は、磁気センサー１３を搭載する。スマートデバイス４は、無線通信により送信されるトリガー信号を受信するときに無線通信によって照合情報を送信する。スマートデバイス４は、磁気センサー１３が予め定められた閾値以上の強さの変動磁界を検出するときに無線通信によって入域信号を送信する。認証装置５は、照合エリア７の内部全体において強さが予め定められた閾値以上である変動磁界を形成する。照合エリア７は、利用者３が入域可能な空間領域である。照合エリア７は、基準点Ｐおよび基準点Ｐから内部の任意の点までを結ぶ線分を含む。認証装置５は、スマートデバイス４から入域信号を受信したときに照合情報に基づいて利用者３を認証する。認証装置５が利用者３を認証したときに、エレベーター制御盤２８は、エレベーターの呼びを登録する。
【０１５８】
エレベーター配車管理システムは、スマートデバイス４が照合エリア７に入域したときに速やかに認証の処理を行う。このため、不必要に長くかごを乗場に待機させることがより確実に防がれる。また、同時に認証できる利用者３の数が増える。このため、利用者３の利便性がより高まる。
【０１５９】
また、実施の形態２に係る測位システムは、スマートデバイス４と、認証装置５と、校正装置２９と、を備える。スマートデバイス４は、利用者３に所持される。スマートデバイス４は、磁気センサー１３を搭載する。スマートデバイス４は、無線通信により送信されるトリガー信号を受信するときに無線通信によって照合情報を送信する。スマートデバイス４は、磁気センサー１３が予め定められた閾値以上の強さの変動磁界を検出するときに無線通信によって入域信号を送信する。認証装置５は、照合エリア７の内部全体において強さが予め定められた閾値以上である変動磁界を形成する。照合エリア７は、利用者３が入域可能な空間領域である。照合エリア７は、基準点Ｐおよび基準点Ｐから内部の任意の点までを結ぶ線分を含む。認証装置５は、スマートデバイス４から入域信号を受信したときに照合情報に基づいて利用者３を認証する。認証装置５が利用者３を認証したときに、校正装置２９は、利用者３の位置情報を認証装置５が設けられる位置によって校正する。
【０１６０】
入退室管理システムは、スマートデバイス４が照合エリア７に入域したときに速やかに認証の処理を行う。また、同時に認証できる利用者３の数が増える。このため、測位システムにおいて、利用者３の位置情報の精度がより高まる。
【０１６１】
実施の形態３．
実施の形態３では、実施の形態１および実施の形態２で開示された例と相違する点について詳しく説明する。実施の形態３で説明しない特徴については、実施の形態１または実施の形態２で開示された例のいずれの特徴が採用されてもよい。
【０１６２】
図８は、実施の形態３に係る認証システムのブロック図である。
【０１６３】
認証装置５は、形成部１７と、送信部１８と、受信部１９と、通信制御部２０と、認証情報記憶部２１と、認証情報処理部２２と、認証部２３と、を備える。形成部１７は、変調部２５と、を備える。この例において、形成部１７は、例えば長波を放射する放射部を備えない。
【０１６４】
変調部２５は、送信アンテナ２６から放射される電磁波の変調の処理を行う部分である。送信アンテナ２６から放射される電磁波は、例えば極超短波である。変調部２５は、例えば振幅変調によって電磁波の変調を行う。変調部２５は、例えば送信アンテナ２６から放射される電磁波の周波数変換を行う。
【０１６５】
通信制御部２０は、時間的に交互に、電磁波による通信および変調または変換された電磁波の放射による変動磁界の形成を送信アンテナ２６にさせる。
【０１６６】
形成部１７は、送信アンテナ２６が放射する電磁波を変調部２５に変調または変換させることによって変動磁界を形成する。変調部２５は、例えば振幅変調などによって放射部２４が放射する電磁波を変調させる。あるいは、変調部２５は、放射部２４が放射する電磁波の周波数を変換させる。スマートデバイス４に搭載される磁気センサー１３として複数の種類の磁気センサー１３が想定される場合に、変調部２５は、想定される磁気センサー１３の上限周波数のうち、最も低い周波数より低い周波数に長波を変調または変換させる。変調部２５は、例えば１０Ｈｚ以下の周波数に長波を変調または変換させる。
【０１６７】
以上に説明したように、実施の形態３に係る認証装置５は、送信部１１を備える。送信部１１は、スマートデバイス４に電磁波の放射によって無線通信の信号を送信する。送信部１１が送信する信号は、例えばトリガー信号である。認証装置５の形成部１７は、変調部２５を備える。変調部２５は、送信部１１が放射する電磁波を磁気センサー１３が検出可能な周波数に変調または変換する。形成部１７は、変調部２５によって変調または変換された電磁波の磁界成分によって照合エリア７の内部全体において強さが閾値以上の変動磁界を形成する。
【０１６８】
これにより、認証装置５は、送信部１８の他に電磁波を放射するハードウェアを必要としない。このため、認証装置５のハードウェア構成が簡易になる。
【産業上の利用可能性】
【０１６９】
本発明に係る認証装置は、スマートデバイスから送信される照合情報に基づいて利用者を認証する認証システムに適用できる。本発明に係る認証システムは、スマートデバイスを所持する利用者の認証に利用できる。本発明に係る入退室管理システムは、制限区域が設けられる建築物に適用できる。本発明に係るエレベーター配車管理システムは、エレベーターを有する建築物に適用できる。本発明に係る測位システムは、スマートデバイスを所持する利用者の位置情報の取得に利用できる。本発明に係るスマートデバイスは、所持している利用者を認証する認証システムに適用できる。
【符号の説明】
【０１７０】
１  認証システム、  ２  扉、  ３  利用者、  ４  スマートデバイス、  ５  認証装置、  ６  電気錠、  ７  照合エリア、  ８  利用者情報サーバー、  ９  利用者情報記憶部、  １０  利用者情報処理部、  １１  送信部、  １２  受信部、  １３  磁気センサー、  １４  通信制御部、  １５  送信アンテナ、  １６  受信アンテナ、  １７  形成部、  １８  送信部、  １９  受信部、  ２０  通信制御部、  ２１  認証情報記憶部、  ２２  認証情報処理部、  ２３  認証部、  ２４  放射部、  ２５  変調部、  ２６  送信アンテナ、  ２７  受信アンテナ、  ２８  エレベーター制御盤、  ２９  校正装置、  １ａ  ハードウェア、  １ｂ  プロセッサ、  １ｃ  メモリ
【図１】
2020084781.tif 000003
【図２】
2020084781.tif 000004
【図３】
2020084781.tif 000005
【図４】
2020084781.tif 000006
【図５】
2020084781.tif 000007
【図６】
2020084781.tif 000008
【図７】
2020084781.tif 000009
【図８】
2020084781.tif 000010
【手続補正書】
【提出日】令和2年10月19日(2020.10.19)
【手続補正１】
【補正対象書類名】特許請求の範囲
【補正対象項目名】全文
【補正方法】変更
【補正の内容】
【特許請求の範囲】
【請求項１】
基準点および前記基準点から内部の任意の点までを結ぶ線分を含みかつ利用者が入域可能な空間領域である照合エリアの内部全体において強さが予め定められた閾値以上である変動磁界を形成する形成部と、
前記利用者に所持されるスマートデバイスにトリガー信号を無線通信により送信する送信部と、
前記スマートデバイスが前記トリガー信号を受信するときに前記スマートデバイスから無線通信により送信される照合情報を受信し、前記スマートデバイスが搭載する磁気センサーが前記閾値以上の強さの変動磁界を検出するときに前記スマートデバイスから無線通信により送信される入域信号を受信する受信部と、
前記受信部が前記入域信号を受信したときに前記照合情報に基づいて前記利用者を認証する認証部と、
を備える認証装置。
【請求項２】
前記形成部は、長波または長波より波長の長い電磁波を放射する放射部を備え、前記放射部が放射する電磁波の磁界成分によって前記照合エリアの内部全体において強さが前記閾値以上の変動磁界を形成する
請求項１に記載の認証装置。
【請求項３】
前記形成部は、前記放射部が放射する電磁波を前記磁気センサーが検出可能な周波数に振幅変調により変調する変調部を備え、前記変調部によって変調された電磁波の磁界成分によって前記照合エリアの内部全体において強さが前記閾値以上の変動磁界を形成する
請求項２に記載の認証装置。
【請求項４】
前記形成部は、前記放射部が放射する電磁波を前記磁気センサーが検出可能な周波数に変換する変調部を備え、前記変調部によって変換された電磁波の磁界成分によって前記照合エリアの内部全体において強さが前記閾値以上の変動磁界を形成する
請求項２に記載の認証装置。
【請求項５】
前記送信部は、前記トリガー信号を電磁波の放射によって送信し、
前記形成部は、前記送信部が放射する電磁波を前記磁気センサーが検出可能な周波数に変調または変換する変調部を備え、前記変調部によって変調または変換された電磁波の磁界成分によって前記照合エリアの内部全体において強さが前記閾値以上の変動磁界を形成する
請求項１に記載の認証装置。
【請求項６】
前記形成部は、前記照合エリアの内部全体において強さが前記閾値以上の変動磁界を発生させる電磁石を備える
請求項１に記載の認証装置。
【請求項７】
前記形成部は、前記照合エリアの内部全体において強さが前記閾値以上の変動磁界を発生させる回転磁石を備える
請求項１に記載の認証装置。
【請求項８】
利用者に所持され、磁気センサーを搭載し、無線通信により送信されるトリガー信号を受信するときに無線通信によって照合情報を送信し、前記磁気センサーが予め定められた閾値以上の強さの変動磁界を検出するときに無線通信によって入域信号を送信するスマートデバイスと、
基準点および前記基準点から内部の任意の点までを結ぶ線分を含みかつ前記利用者が入域可能な空間領域である照合エリアの内部全体において強さが前記閾値以上である変動磁界を形成し、前記スマートデバイスに前記トリガー信号を送信し、前記スマートデバイスから前記入域信号を受信したときに前記スマートデバイスから受信した前記照合情報に基づいて前記利用者を認証する認証装置と、
を備える認証システム。
【請求項９】
利用者に所持され、磁気センサーを搭載し、無線通信によってトリガー信号を受信するときに無線通信によって照合情報を送信し、前記磁気センサーが予め定められた閾値以上の強さの変動磁界を検出するときに無線通信によって入域信号を送信するスマートデバイスと、
基準点および前記基準点から内部の任意の点までを結ぶ線分を含みかつ前記利用者が入域可能な空間領域である照合エリアの内部全体において強さが前記閾値以上である変動磁界を形成し、前記スマートデバイスに前記トリガー信号を送信し、前記スマートデバイスから前記入域信号を受信したときに前記スマートデバイスから受信した前記照合情報に基づいて前記利用者を認証する認証装置と、
前記認証装置が前記利用者を認証したときに扉の施錠または解錠を行う電気錠と、
を備える入退室管理システム。
【請求項１０】
利用者に所持され、磁気センサーを搭載し、無線通信によってトリガー信号を受信するときに無線通信によって照合情報を送信し、前記磁気センサーが予め定められた閾値以上の強さの変動磁界を検出するときに無線通信によって入域信号を送信するスマートデバイスと、
基準点および前記基準点から内部の任意の点までを結ぶ線分を含みかつ前記利用者が入域可能な空間領域である照合エリアの内部全体において強さが前記閾値以上である変動磁界を形成し、前記スマートデバイスに前記トリガー信号を送信し、前記スマートデバイスから前記入域信号を受信したときに前記スマートデバイスから受信した前記照合情報に基づいて前記利用者を認証する認証装置と、
前記認証装置が前記利用者を認証したときにエレベーターの呼びを登録するエレベーター制御盤と、
を備えるエレベーター配車管理システム。
【請求項１１】
利用者に所持され、磁気センサーを搭載し、無線通信によってトリガー信号を受信するときに無線通信によって照合情報を送信し、前記磁気センサーが予め定められた閾値以上の強さの変動磁界を検出するときに無線通信によって入域信号を送信するスマートデバイスと、
基準点および前記基準点から内部の任意の点までを結ぶ線分を含みかつ前記利用者が入域可能な空間領域である照合エリアの内部全体において強さが前記閾値以上である変動磁界を形成し、前記スマートデバイスに前記トリガー信号を送信し、前記スマートデバイスから前記入域信号を受信したときに前記スマートデバイスから受信した前記照合情報に基づいて前記利用者を認証する認証装置と、
前記認証装置が前記利用者を認証したときに前記利用者の位置情報を前記認証装置が設けられる位置によって校正する校正装置と、
を備える測位システム。
【請求項１２】
基準点および前記基準点から内部の任意の点までを結ぶ線分を含みかつ利用者が入域可能な空間領域である照合エリアの内部全体において強さが予め定められた閾値以上に形成された変動磁界を検出する磁気センサーと、
無線通信によってトリガー信号を受信するときに、前記トリガー信号を送信した認証装置に対して、照合情報を無線通信によって送信し、前記磁気センサーが前記閾値以上の強さの変動磁界を検出するときに、無線通信によって入域信号を受信したときに前記照合情報に基づいて前記利用者を認証する認証装置に対して、前記入域信号を無線通信によって送信する送信部と、
を備えるスマートデバイス。
【手続補正２】
【補正対象書類名】明細書
【補正対象項目名】０００６
【補正方法】削除
【補正の内容】
【手続補正３】
【補正対象書類名】明細書
【補正対象項目名】０００８
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１６
【補正方法】削除
【補正の内容】
【国際調査報告】
2020084781.tif 000011
2020084781.tif 000012
2020084781.tif 000013